(57)【要約】【課題】簡便な処理で日付を速やかに切り替え表示可能なアナログ電子時計を提供する。【解決手段】１２時間分の時刻の表示に伴い一回転する時針と、この時針の回転が伝達され、時針が午前０時を指示するときから午前０時より後の所定の時刻を指示するときまでの間で１日分回転されるカレンダ車と、を有するアナログ電子時計において、午前０時に設定された変更開始時刻に、現在時刻の１２時間後の時刻を指示する位置に時針を正方向に早送りした後、通常運針を開始する第１の制御手段と、所定の時刻以後且つ午後０時以前に設定された変更終了時刻に、現在時刻を指示する位置に時針を逆方向に早送りした後、通常運針を開始する第２の制御手段とを備える。【選択図】図２
2013190332.tif 000002
【特許請求の範囲】
【請求項１】
１２時間分の時刻の表示に伴い一回転する時針と、この時針の回転が伝達され、前記時針が午前０時を指示するときから午前０時より後の所定の時刻を指示するときまでの間で１日分回転されるカレンダ車と、を有するアナログ電子時計において、
午前０時に設定された変更開始時刻に、現在時刻の１２時間後の時刻を指示する位置に前記時針を正方向に早送りした後、通常運針を開始する第１の制御手段と、
前記所定の時刻以後且つ午後０時以前に設定された変更終了時刻に、現在時刻を指示する位置に前記時針を逆方向に早送りした後、通常運針を開始する第２の制御手段と
を備えることを特徴とするアナログ電子時計。
【請求項２】
１２時間分の時刻の表示に伴い一回転する時針と、この時針の回転が伝達され、前記時針が午前０時より前の所定の時刻を指示するときから午前０時を指示するときまでの間で１日分回転されるカレンダ車と、を有するアナログ電子時計において、
午後０時以後且つ前記所定の時刻以前に設定された変更開始時刻に、現在時刻の１２時間前の時刻を指示する位置に前記時針を逆方向に早送りした後、通常運針を開始する第１の制御手段と、
午前０時に設定された変更終了時刻に、現在時刻を指示する位置に前記時針を正方向に早送りした後、通常運針を開始する第２の制御手段と
を備えることを特徴とするアナログ電子時計。
【請求項３】
１２時間分の時刻の表示に伴い一回転する時針と、この時針の回転が伝達され、前記時針が午前０時より前の第１の時刻を指示するときから午前０時より後の第２の時刻を指示するときまでの間で１日分回転されるカレンダ車と、を有するアナログ電子時計において、
第２の時刻の１２時間後以後且つ前記第１の時刻以前に設定された変更開始時刻に、現在時刻の１２時間前の時刻を指示する位置まで前記時針を逆方向に早送りした後、通常運針を開始する第１の制御手段と、
午前０時に、現在時刻の１２時間後の時刻を指示する位置に前記時針を正方向に早送りした後、通常運針を開始する第２の制御手段と、
前記第２の時刻以後且つ第１の時刻の１２時間前以前に設定された変更終了時刻に、現在時刻を指示する位置に前記時針を逆方向に早送りした後、通常運針を開始する第３の制御手段と
を備えることを特徴とするアナログ電子時計。
【請求項４】
ユーザの操作入力を受け付ける操作手段と、
所定の外部状況を計測する計測手段と、
前記計測手段による計測結果と、前記操作手段への操作入力の検出タイミングとに基づいて、電力消費量を制限するスリープ状態への移行及び解除を行うスリープ状態設定手段と、
を備え、
前記第１の制御手段は、
前記変更開始時刻に前記スリープ状態にある場合には、前記時針を早送りせず、このスリープ状態が前記変更終了時刻より前に解除された場合には、この解除のタイミングで前記時針を早送りし、
前記第２の制御手段は、
前記変更開始時刻から前記変更終了時刻までの間に前記第１の制御手段により前記時針が早送りされなかった場合には、前記時針を早送りしない
ことを特徴とする請求項１又は２記載のアナログ電子時計。
【請求項５】
前記スリープ状態設定手段は、前記第１の制御手段により前記時針が早送りされた場合には、前記第２の制御手段により前記時針が早送りされるまでの間、前記スリープ状態に移行させない
ことを特徴とする請求項４記載のアナログ電子時計。
【請求項６】
前記第２の制御手段は、
前記第１の制御手段により前記時針が早送りされた後、前記変更終了時刻に前記スリープ状態にある場合には、このスリープ状態が解除されたタイミングで前記時針を早送りする
ことを特徴とする請求項４記載のアナログ電子時計。
【請求項７】
ユーザの操作入力を受け付ける操作手段と、
所定の外部状況を計測する計測手段と、
前記計測手段による計測結果と、前記操作手段への操作入力の検出タイミングとに基づいて、電力消費量を制限するスリープ状態への移行及び解除を行うスリープ状態設定手段と、
を備え、
前記第１の制御手段は、
前記変更開始時刻に前記スリープ状態にある場合には、前記時針の早送りを行わず、このスリープ状態が午前０時より前に解除された場合には、この解除のタイミングで前記時針を早送りし、
前記第２の制御手段は、
午前０時に前記スリープ状態にある場合には、前記時針の早送りを行わず、このスリープ状態が前記変更終了時刻より前に解除された場合には、この解除のタイミングで前記時針を早送りし、
前記第３の制御手段は、
前記変更開始時刻から前記変更終了時刻までの間に前記第１の制御手段及び前記第３の制御手段の何れも前記時針を早送りしなかった場合には、前記時針を早送りしない
ことを特徴とする請求項３記載のアナログ電子時計。
【請求項８】
前記スリープ状態設定手段は、
前記第１の制御手段及び／又は前記第２の制御手段により前記時針が早送りされた場合には、前記第３の制御手段により前記時針が早送りされるまでの間、前記スリープ状態に移行させない
ことを特徴とする請求項７記載のアナログ電子時計。
【請求項９】
前記第３の制御手段は、
前記第１の制御手段及び／又は前記第２の制御手段により前記時針が早送りされた後、前記第２の時刻に前記スリープ状態にある場合には、このスリープ状態が解除されたタイミングで前記時針を早送りする
ことを特徴とする請求項７記載のアナログ電子時計。
【請求項１０】
前記計測手段は、照度センサであることを特徴とする請求項４〜９の何れか一項に記載のアナログ電子時計。
【発明の詳細な説明】
【技術分野】
【０００１】
この発明は、アナログ電子時計に関する。
【背景技術】
【０００２】
従来、時刻と共に日付を表示するアナログ式の時計がある。このようなアナログ時計では、指針により指し示されることで時刻を示す目盛が設けられた文字盤の下部に回転可能な円盤（表示車）が設けられ、この表示車における一の同心円上に設けられた１から３１までの日付を示す標識のうち何れか一つ又は複数を文字盤に設けられた透過孔から選択的に露出させることで日付が表示される。
【０００３】
このようなアナログ時計には、毎日０時前後に時針と連動させて表示車を回転するように歯車の並び（輪列機構）を構成することで日付が変更されるものがある。このとき、時刻を表示する指針の回転と比較して、表示車のような回転円盤の回転には、大きなトルクがかかる。従って、毎日０時に１ステップの動作で標識一日分の角度に亘り表示車を回転させるのは困難であり、従来、このようなアナログ時計では、多くのステップに分割して徐々に表示車を回転させていく構成が用いられている。例えば、このアナログ時計では、２分毎に１ステップ回転動作する時針に連動させて４時間に亘り表示車を１２０ステップ車回転させることで、一日分の日付を変化させることが可能である。
【０００４】
しかしながら、このような日付表示の変更方法では、日付の変更が行われている間、日付が読み取れなかったり中途半端に表示されてしまったりするという問題がある。そこで、このような問題を克服する技術として、特許文献１には、指針を逆転方向に動作させた場合にのみ表示車が指針に連動して回転し、指針を正転方向に回転動作させる場合には表示車が連動して回転しない構成の輪列機構を備え、日付の変更時に所定ステップ数逆転早送りをさせて日付表示を変更した後に、正転方向に早送りさせて現在時刻の表示に戻すことで、速やかに日付の表示を切り替える技術が開示されている。
【先行技術文献】
【特許文献】
【０００５】
【特許文献１】特公昭６１−５９２号公報
【発明の概要】
【発明が解決しようとする課題】
【０００６】
しかしながら、上記のような構成で指針及び表示車を回転させると、輪列機構の構成が複雑になるという課題がある。また、近年の時計では、時刻の調整や種々の機能で指針を細かく正転又は逆転で移動させる場合に問題が生じるといった課題がある。
【０００７】
この発明の目的は、簡便な処理で日付を速やかに切り替え表示可能なアナログ電子時計を提供することにある。
【課題を解決するための手段】
【０００８】
本発明は、上記目的を達成するため、
１２時間分の時刻の表示に伴い一回転する時針と、この時針の回転が伝達され、前記時針が午前０時を指示するときから午前０時より後の所定の時刻を指示するときまでの間で１日分回転されるカレンダ車と、を有するアナログ電子時計において、
午前０時に設定された変更開始時刻に、現在時刻の１２時間後の時刻を指示する位置に前記時針を正方向に早送りした後、通常運針を開始する第１の制御手段と、
前記所定の時刻以後且つ午後０時以前に設定された変更終了時刻に、現在時刻を指示する位置に前記時針を逆方向に早送りした後、通常運針を開始する第２の制御手段と
を備えることを特徴とするアナログ電子時計である。
【発明の効果】
【０００９】
本発明に従うと、アナログ電子時計において、簡便な処理で日付の切り替え表示を速やかに行うことが出来るという効果がある。
【図面の簡単な説明】
【００１０】
【図１】本発明の実施形態のアナログ電子時計の内部構成を示すブロック図である。
【図２】第１実施形態の時刻表示処理のフローチャートである。
【図３】時刻表示処理で呼び出されるスリープ状態制御処理のフローチャートである。
【図４】スリープ状態制御処理で呼び出される第１実施形態のスリープ状態解除処理のフローチャートである。
【図５】スリープ状態制御処理の変形例を示すフローチャートである。
【図６】スリープ状態解除処理の変形例を示すフローチャートである。
【図７】第２実施形態の時刻表示処理のフローチャートである。
【図８】第２実施形態のスリープ状態解除処理のフローチャートである。
【図９】第３実施形態の時刻表示処理のフローチャートである。
【図１０】第３実施形態のスリープ状態解除処理のフローチャートである。
【発明を実施するための形態】
【００１１】
以下、本発明の実施の形態を図面に基づいて説明する。
【００１２】
図１は、本発明の実施形態のアナログ電子時計の内部構成を示すブロック図である。
【００１３】
このアナログ電子時計１は、秒針２と、秒針２を第１輪列機構２２を介して回転動作させる第１ステップモータ３２と、第１ステップモータ３２を駆動する第１駆動回路４２と、分針３と、分針３を第２輪列機構２３を介して回転動作させる第２ステップモータ３３と、第２ステップモータ３３を駆動する第２駆動回路４３と、時針４と、時針４を第２輪列機構２３を介して回転動作させる第３ステップモータ３４と、第３ステップモータ３４を駆動する第３駆動回路４４と、第３輪列機構２４に連動して回転する第４輪列機構２５と、第４輪列機構２５によって回転する表示車５（カレンダ車）と、制御部６１（第１の制御手段、第２の制御手段、第３の制御手段、スリープ状態設定手段）と、ＲＡＭ（Random Access Memory）６２と、ＲＯＭ（Read Only Memory）６３と、発振回路６４と、分周回路６５と、操作手段としてのスイッチ部６６と、計測手段としての照度センサ６７と、などを備える。アナログ電子時計１は、腕時計、懐中時計、置時計、掛時計といった種々の形態のアナログ電子時計の何れであってもよい。
【００１４】
秒針２、分針３、及び、時針４は、文字盤上を各々独立に回転可能に設けられている。本実施形態のアナログ電子時計１では、秒針２が６度ステップで一周６０箇所に移動可能であり、毎秒１ステップずつ回転動作されて１分間で一周する。また、分針３は、２度ステップで一周１８０箇所に移動可能であり、２０秒毎に１ステップ回転動作されて１時間で一周する。また、時針４は、１度ステップで一周３６０箇所に移動可能であり、２分毎に１ステップ回転動作されて１２時間で１周する。
【００１５】
表示車５は、本実施形態のアナログ電子時計１では、円盤形状を有し、一の同心円上に１日から３１日までの各日付を表す標識が印されている。この表示車５は、例えば、文字盤の更に下部に文字盤と平行に設けられ、文字盤に設けられた透過孔から上記標識のうちの一つが選択的に表示される。この表示車５は、第４輪列機構２５を介して回転動作される。第４輪列機構２５の歯車は、時針４の回転に伴い、０時から４時（２４時間表示、以下同様）の間にだけ第３輪列機構２４の歯車と噛み合って、時針４と共に２分間隔で１２０ステップ回転移動することで、表示車５上に印せられた標識の日付が１日分移動する。第３輪列機構２４と第４輪列機構２５の噛み合わせについては、従来知られている種々の機構を用いて構成することが出来る。
【００１６】
制御部６１は、ＣＰＵ（Central Processing Unit）などを備え、各種演算処理を行い、アナログ電子時計１の全体動作を統括制御する。ＲＡＭ６２は、ＤＲＡＭなどの揮発性メモリであり、制御部６１に作業用のメモリ空間を提供し、ＲＯＭ６３から読み出されたプログラムや設定データを展開したり、制御部６１の処理に係る一時データを記憶したりする。ＲＯＭ６３には、アナログ電子時計１の制御プログラムや初期設定データが格納されている。アナログ電子時計１の動作中には、この制御プログラムが読み出されて制御部６１のＣＰＵにより継続的に実行される。
【００１７】
発振回路６４は、所定の周波数信号を生成して出力する。分周回路６５は、発振回路６４から入力された周波数信号を制御部６１が利用する各種周波数の信号に分周して出力する。また、分周回路６５から入力された所定の周波数信号（例えば、１Ｈｚ信号）を利用し、制御部６１において現在時刻が計数、保持される。
【００１８】
スイッチ部６６は、押しボタンスイッチやリューズなどの操作スイッチを備え、ユーザによる操作を電気信号に変換して制御部６１に出力する。
【００１９】
照度センサ６７は、アナログ電子時計１の所定の部分、例えば、文字盤の一部に入射される光の照度を計測し、この計測値を制御部６１に出力する。この照度センサ６７の計測値は、制御部６１により電力消費量を制限するスリープ状態の制御に用いられる。このスリープ状態については、後に詳述する。或いは、照度センサ６７は、バッテリに太陽電池が用いられている場合には、この太陽電池の起電力などに基づいて間接的に照度を計測するものであっても良い。
【００２０】
次に、本発明の第１実施形態のアナログ電子時計１における時刻表示動作について説明する。
【００２１】
図２は、制御部６１がＣＰＵを用いて実行する時刻表示処理の制御手順を示すフローチャートである。
【００２２】
本実施形態のアナログ電子時計１における時刻表示処理は、現在時刻の秒の値を変化させる１Ｈｚクロック信号が毎秒制御部６１に入力されるごとに呼び出されて実行される処理である。時刻表示処理が開始されると、先ず、制御部６１は、計時処理を行う（ステップＳ１０１）。制御部６１は、予め設定された初期設定時刻に対し、クロック信号が入力されるごとに１秒ずつ加算していくことで現在時刻を記憶、保持する。
【００２３】
次に、制御部６１は、アナログ電子時計１が現在スリープ状態であるか否かを判別する（ステップＳ１０２）。スリープ状態ではない、つまり、ノーマル状態であると判別された場合には、制御部６１は、第１駆動回路４２から第１ステップモータ３２に駆動パルスを出力させて、第１ステップモータ３２を１ステップ正転方向に駆動させる（ステップＳ１０３）。これにより、秒針２が１ステップ、即ち、１秒分の角度だけ回転移動する。続いて、制御部６１は、計時処理で更新された現在時刻の秒の値が、０、２０、４０の何れかであるか否かを判別する（ステップＳ１０４）。０、２０、４０の何れでもないと判別された場合には、制御部６１による処理は、ステップＳ１０９に移行する。
【００２４】
一方、現在時刻の秒の値が０、２０、４０のいずれかであると判別された場合には、制御部６１は、第２駆動回路４３に駆動パルスを出力させて、第２ステップモータ３３を１ステップ正転方向に駆動させる（ステップＳ１０５）。これにより、分針３が１ステップ回転移動する。
次に、制御部６１は、現在時刻が０時０分０秒（変更開始時刻）であるか否かを判別する（ステップＳ１０６）。０時０分０秒であると判別された場合には、制御部６１は、第３駆動回路４４に駆動パルスを出力させて、第３ステップモータ３４を３６０ステップ正転方向に早送り駆動する（ステップＳ１０７）。これにより、時針４が１周し、１２時間分表示時刻が進む。即ち、このときのアナログ電子時計１では、翌日の正午、１２時０分０秒（午後０時０分０秒）の表示状態となるので、見かけ上の表示時刻は現在時刻と同一となる。また、このアナログ電子時計１では、日付の表示切替が既に完了した状態となる。このとき、第３ステップモータ３４の３６０ステップ駆動には、１秒以上要するので、途中で適宜第１駆動回路４２への駆動パルスの出力命令を割り込ませて秒針２を進めさせることが出来る。或いは、制御部６１は、時針４の回転移動が終了してから保留されていた秒針２の移動動作をまとめて行わせることとしても良い。それから、制御部６１は、ＲＡＭ６２に記憶させたフラグＦ（初期値は「０」）に「１」を設定した後（ステップＳ１０８）、処理をステップＳ１０９に進める。
【００２５】
ステップＳ１０６の判別処理で、現在時刻が０時０分０秒ではないと判別された場合には、続いて制御部６１は、現在時刻が４時０分０秒（変更終了時刻）であるか否かを判別する（ステップＳ１１６）。現在時刻が４時０分０秒ではないと判別された場合には、制御部６１による処理は、ステップＳ１２６に移行する。現在時刻が４時０分０秒であると判別された場合には、制御部６１は、続いて、フラグＦに「１」が設定されているか否かを判別する（ステップＳ１１７）。フラグＦに「１」が設定されていないと判別された場合には、制御部６１による処理は、ステップＳ１２７に移行する。フラグＦに「１」が設定されていると判別された場合には、制御部６１は、第３駆動回路４４に駆動パルスを出力させて第３ステップモータ３４を３６０ステップ逆転方向に早送り駆動させる（ステップＳ１１８）。これにより、時針４が逆回りに１周し、１２時間進められていた時刻の表示から現在時刻の表示に戻る。それから、制御部６１は、フラグＦに「０」を設定した後（ステップＳ１１９）、処理をステップＳ１０９に進める。
【００２６】
ステップＳ１０２の処理で、アナログ電子時計１がスリープ状態であると判別された場合には、計時処理で更新された現在時刻の秒値が０、２０、４０の何れかであるか否かを判別する（ステップＳ１２４）。現在時刻の秒値が０、２０、４０の何れでもないと判別された場合には、制御部６１による処理は、そのままステップＳ１０９に移行する。現在時刻の秒値が０、２０、４０の何れかであると判別された場合には、制御部６１は、第２駆動回路４３に駆動パルスを出力させて、第２ステップモータ３３を１ステップ正転方向に駆動させる（ステップＳ１２５）。これにより、分針３が２度回転移動する。
【００２７】
ステップＳ１１６の判別処理で“ＮＯ”に分岐した場合、又は、ステップＳ１２５の処理が終了した場合には、制御部６１は、次に、現在時刻が偶数分の０秒であるか否かを判別する（ステップＳ１２６）。現在時刻が偶数分の０秒ではないと判別された場合には、制御部６１による処理は、ステップＳ１０９に移行する。現在時刻が偶数分の０秒であると判別された場合には、制御部６１による処理は、ステップＳ１２７に移行する。
【００２８】
制御部６１による処理がステップＳ１１７の判別処理、又は、ステップＳ１２６の判別処理からステップＳ１２７の処理に進んだ場合には、制御部６１は、第３駆動回路４４に駆動パルスを出力させて第３ステップモータ３４を１ステップ正転方向に駆動させる（ステップＳ１２７）。これにより、時針４が１度回転移動する。それから、制御部６１の処理は、ステップＳ１０９に移行する。
【００２９】
第１ステップモータ３２、第２ステップモータ３３、及び、第３ステップモータ３４の駆動が終了して制御部６１による処理がステップＳ１０９に移行すると、制御部６１は、スリープ状態制御処理を呼び出して実行する。このスリープ状態制御処理が終了すると、制御部６１は、時刻表示処理を終了する。
【００３０】
図３は、時刻表示処理で呼び出されるスリープ状態制御処理の制御部６１による制御手順を示すフローチャートである。
【００３１】
スリープ状態制御処理が呼び出されると、制御部６１は、先ず、アナログ電子時計１がスリープ状態であるか否かを判別する（ステップＳ１５１）。そして、スリープ状態ではないと判別された場合には、次に、照度センサ６７によって計測されている照度が所定の基準値以下であるか否かを判別する（ステップＳ１５２）。所定の基準値以下ではないと判別された場合には、制御部６１は、ノーマル状態を維持したままスリープ状態制御処理を抜けて時刻表示処理に戻る。ここで、判別処理に用いられる照度の値としては、所定期間の照度の積分値（平均値）や最大値であってもよい。
【００３２】
照度が所定の基準値以下であると判別された場合には、制御部６１は、次に、所定時間スイッチ部６６への操作入力の無い状態が継続されているか否かを判別する（ステップＳ１５３）。所定時間内にスイッチ部６６への操作入力があったと判別された場合には、制御部６１は、そのままスリープ状態制御処理を抜けて時刻表示処理に戻る。
【００３３】
所定時間に亘りスイッチ部６６への操作入力が無い状態が継続されていると判別された場合には、制御部６１は、更に、フラグＦが「０」に設定されているか否かを判別する（ステップＳ１５４）。フラグＦが「０」ではなく、「１」に設定されていると判別された場合には、制御部６１は、そのままスリープ状態制御処理を抜けて時刻表示処理に戻る。
【００３４】
フラグＦが「０」に設定されていると判別された場合には、制御部６１は、アナログ電子時計１をスリープ状態に移行させる（ステップＳ１５５）。そして、制御部６１は、スリープ状態制御処理を抜けて時刻表示処理に戻る。
【００３５】
一方、ステップＳ１５１の判別処理でアナログ電子時計１がスリープ状態であると判別された場合には、制御部６１は、照度センサ６７により計測された照度が所定値以上であるか否かを判別する（ステップＳ１５６）。照度が所定値以上ではないと判別された場合には、制御部６１は、続いて、スイッチ部６６への操作入力があったか否かを判別する（ステップＳ１５７）。スイッチ部６６への操作入力が無いと判別された場合には、そのままスリープ状態を維持してスリープ状態制御処理を抜け、時刻表示処理に戻る。
【００３６】
ステップＳ１５７の判別処理、又は、ステップＳ１５８の判別処理の何れかで“ＹＥＳ”に分岐した場合には、制御部６１は、後述するスリープ状態解除処理を行ってスリープ状態を解除する（ステップＳ１５８）。そして、制御部６１は、スリープ状態制御処理を抜けて時刻表示処理に戻る。
【００３７】
図４は、第１実施形態のアナログ電子時計１において、スリープ状態制御処理から呼び出されるスリープ状態解除処理（ステップＳ１５８）の制御部６１による制御手順を示すフローチャートである。
【００３８】
スリープ状態解除処理が呼び出されると、制御部６１は、ステップＳ１０１の処理で更新された現在時刻が０時以降であって、且つ、４時よりも前であるか否かを判別する（ステップＳ１８１）。現在時刻が０時以降且つ４時より前であると判別された場合には、制御部６１は、第３駆動回路４４に駆動パルスを出力させて第３ステップモータを正転方向に３６０ステップ早送り移動させる（ステップＳ１８２）。また、制御部６１は、フラグＦを「１」に設定する（ステップＳ１８３）。そして、制御部６１は、スリープ状態解除処理を終了してスリープ状態制御処理に戻る。
【００３９】
一方、現在時刻が０時以降４時より前ではない、即ち、４時以降であると判別された場合には、制御部６１は、必要に応じて第１駆動回路４２〜第３駆動回路４４に駆動パルスを出力させて各指針の位置を現在時刻の位置に移動させる（ステップＳ１８４）。具体的には、制御部６１は、スリープ状態の間停止させていた秒針２を現在時刻の秒値位置に移動させる。また、分針３、時針４、及び、表示車５の位置がもし適切な位置にない場合には、適宜修正が行われる。それから、制御部６１は、スリープ状態解除処理を抜けてスリープ状態制御処理に戻る。
【００４０】
以上のように、第１実施形態のアナログ電子時計１は、時針４と、０時から４時の間にこの時針４の回転と連動して日付表示が１日分回転される表示車５とを有する。そして、このアナログ電子時計１では、０時に時針４を正転方向に１２時間分、即ち、１回転早送りした後、通常運針を開始し、４時に時針４を逆転方向に１２時間分、即ち、１回転早送りした後、通常運針を開始する。このように、表示車５を時針４の運針と独立に制御せず、また、複雑な駆動機構を設けずに、従来と同様の構造のアナログ電子時計１において時針４を１周させる動作を２度行わせる制御及び動作時間だけで、容易に表示される日付及び時刻を正確な状態に保つことが出来る。
【００４１】
また、深夜帯に日付表示の切り替えに係る時針４の動作が行われるので、一般的なユーザが時針４の回転動作を目にする頻度を低く抑えることが出来る。
【００４２】
また、日付表示の切り替えが行われる前にスリープ状態に移行している場合には、ユーザがアナログ電子時計１の表示を見ていないものと判断してこのような日付表示に係る指針の動作を行わないので、不必要な電力消費を抑制することが出来る。
【００４３】
また、スリープ状態の判定を照度センサ６７を用いて行うので、的確にユーザがアナログ電子時計１の表示を見ない時間を判断して電力消費を抑制することが出来る。
【００４４】
また、０時に日付表示の切り替え動作が行われた場合には、４時に通常の時刻表示に戻すまでスリープ状態に移行させないので、簡便な制御で日付の表示を適切に保つことが出来る。
【００４５】
［変形例］
次に、第１実施形態のアナログ電子時計１で実行される時刻表示処理のうち、スリープ状態制御処理の変形例について説明する。
【００４６】
図５は、変形例のスリープ状態制御処理の制御手順を示すフローチャートである。また、図６は、この変形例のスリープ状態制御処理で呼び出されるスリープ状態解除処理の制御手順を示すフローチャートである。
【００４７】
図５に示すように、この変形例のスリープ状態制御処理は、第１実施形態のスリープ状態制御処理におけるステップＳ１５４の処理が省略されており、また、スリープ状態解除処理（ステップＳ１５８ａ）の処理内容が第１実施形態のスリープ状態制御処理におけるスリープ状態解除処理（ステップＳ１５８）の処理内容と異なる点を除き第１実施形態のスリープ状態制御処理と同一であり、同一の符号を付して説明を省略する。即ち、この変形例のアナログ電子時計１では、フラグＦに「１」が設定された後でも、スリープ状態に移行することが可能に構成されている。
【００４８】
図６に示すように、スリープ状態が解除されるときに実行されるスリープ状態解除処理（ステップＳ１５８ａ）では、第１実施形態のスリープ状態解除処理における各処理に加え、ステップＳ２８１ａ、Ｓ２８１ｂ、Ｓ２８２、Ｓ２８３の処理が行われる。
【００４９】
ステップＳ１８１の判別処理において、現在時刻が０時以降、且つ、４時より前であると判別された場合には、制御部６１は、更に、フラグＦが「０」であるか否かを判別する（ステップＳ２８１ａ）。そして、フラグＦが「０」であると判別された場合に、制御部６１の処理がステップＳ１８２に移行し、フラグＦが「０」ではないと判別された場合には、制御部６１の処理は、ステップＳ１８３に移行する。
【００５０】
一方、ステップＳ１８１の判別処理において、“ＮＯ”に分岐した場合、即ち、４時以降である場合には、次に、制御部６１は、フラグＦが「１」であるか否かを判別する（ステップＳ２８１ｂ）。フラグＦが「１」ではないと判別された場合には、制御部６１の処理は、ステップＳ１８３に移行する。これに対し、フラグＦが「１」であると判別された場合には、制御部６１は、第３駆動回路４４に駆動パルスを出力させて、第３ステップモータ３４を逆転方向に３６０ステップ移動させる（ステップＳ２８２）。これにより、時針４は、１２時間進んだ状態から現在時刻の表示に復帰する。それから、制御部６１は、フラグＦを「０」に設定した後（ステップＳ２８３）、スリープ状態解除処理を抜けてスリープ状態制御処理に戻る。
【００５１】
このように、第１実施形態のアナログ電子時計１の時刻表示処理の変形例では、一連の日付表示の変更動作に入った後でもスリープ状態に移行させることが出来る。従って、深夜帯でアナログ電子時計１が利用されない場合に秒針２の運針を停止させることで電力消費を抑えつつ、スリープ状態からノーマル状態に復帰した場合には、日付を適切に表示させることが出来る。
【００５２】
［第２実施形態］
次に、本発明の第２実施形態のアナログ電子時計について説明する。
この第２実施形態のアナログ電子時計１の内部構成は、第３輪列機構２４と第４輪列機構２５との連動に係る表示車５が回転するタイミングを除いて第１実施形態のアナログ電子時計と同一であり、説明を省略すると共に、以下では同一の符号を用いて説明する。
【００５３】
第２実施形態のアナログ電子時計１では、表示時刻が２０時から２４時の間でのみ、第３輪列機構２４と連動して回転する第４輪列機構２５により表示車５が回転する構成となっている。
【００５４】
次に、第２実施形態のアナログ電子時計１における時刻表示動作について説明する。
図７は、第２実施形態のアナログ電子時計１おいて制御部６１により実行される時刻表示処理の制御手順を示すフローチャートである。また、図８は、第２実施形態のアナログ電子時計１においてスリープ状態制御処理から呼び出されるスリープ状態解除処理の制御手順を示すフローチャートである。
【００５５】
この第２実施形態のアナログ電子時計１における時刻表示処理は、ステップＳ１０６、Ｓ１０７、Ｓ１１６、Ｓ１１８がそれぞれステップＳ１０６ａ、Ｓ１０７ａ、Ｓ１１６ａ、Ｓ１１８ａに置き換えられ、また、ステップＳ１０９のスリープ状態制御処理内で更に呼び出されるスリープ状態解除処理（ステップＳ１５８）の内容が一部置き換えられた点を除いて第１実施形態のアナログ電子時計１における時刻表示処理と同一であり、同一の符号を付して説明を省略する。
【００５６】
時刻表示処理において、ノーマル状態でステップＳ１０５の処理が終了すると、制御部６１は、次に、現在時刻が２０時０分０秒であるか否かを判別する（ステップＳ１０６ａ）。現在時刻が２０時０分０秒であると判別された場合には、制御部６１は、第３駆動回路４４に駆動パルスを出力させて、第３ステップモータ３４を逆転方向に３６０ステップ早送りさせる（ステップＳ１０７ａ）。これにより、時針４が１周し、１２時間分表示時刻が遅れる。即ち、このときのアナログ電子時計１では、同日の８時０分０秒の表示状態となるので、見かけ上の表示時刻は現在時刻と同一になると共に、引き続き日付の表示切替動作が行われない状態となる。このとき、第３ステップモータ３４の３６０ステップ駆動には１秒以上要するので、途中で適宜第１駆動回路４２への駆動パルスの出力命令を割り込ませて秒針２を進めさせることが出来る。或いは、制御部６１は、時針４の回転移動が終了してから保留されていた秒針２の移動動作をまとめて行わせることとしても良い。ステップＳ１０７ａの処理が終了すると、制御部６１による処理は、ステップＳ１０８に移行する。
【００５７】
一方、ステップＳ１０６ａの処理で現在時刻が２０時０分０秒ではないと判別された場合には、制御部６１は、続いて、現在時刻が０時０分０秒であるか否かを判別する（ステップＳ１１６ａ）。現在時刻が０時０分０秒ではないと判別された場合には、制御部６１による処理は、ステップＳ１２６に移行する。現在時刻が０時０分０秒であると判別された場合には、制御部６１による処理は、ステップＳ１１７に移行し、更に、ステップＳ１１７の判別処理でフラグＦが「１」であると判別された場合には、制御部６１による処理は、ステップＳ１１８ａに移行する。
【００５８】
ステップＳ１１８ａの処理では、制御部６１は、第３駆動回路４４に駆動パルスを出力させて、第３ステップモータ３４を正転方向に３６０ステップ早送り移動させる。これにより、時針４が１周し、１２時間遅れていた時刻の表示から現在時刻の表示に戻る。このとき、同時に、表示車５による日付の更新がちょうど終了した状態となる。
ステップＳ１１８ａの処理が終了すると、制御部６１による処理は、ステップＳ１１９に移行する。
【００５９】
ステップＳ１０９のスリープ状態制御処理において、図３に示したように、スリープ状態解除処理（ステップＳ１５８）が呼び出されると、本実施形態のアナログ電子時計１では、先ず、制御部６１は、現在時刻が２０時以降であり、且つ、２４時よりも前であるか否かを判別する（ステップＳ１８１ａ）。現在時刻が２０時以降であり、且つ、２４時より前であると判別された場合には、制御部６１は、第３駆動回路４４に駆動パルスを出力させて第３ステップモータ３４を逆転方向に３６０ステップ早送り移動させる（ステップＳ１８２ａ）。そして、制御部６１による処理は、ステップＳ１８３に移行する。一方、現在時刻が２０時以降２４時より前ではない、即ち、２０時よりも前であると判別された場合には、制御部６１の処理は、ステップＳ１８４に移行する。
【００６０】
以上のように、第２実施形態のアナログ電子時計１によれば、第１実施形態のアナログ電子時計１と同様の構成及び制御内容であり、日付表示の切り替えに係る時針４の動作タイミングが異なるだけであるので、第１実施形態のアナログ電子時計１と同様、時針４を１周させる動作を２度行わせる制御及び動作時間だけで、容易に表示される日付及び時刻を正確な状態に保つことが出来る。
【００６１】
なお、この第２実施形態のアナログ電子時計１における時刻表示処理でも、第１実施形態のアナログ電子時計１における時刻表示処理の変形例と同様に、フラグＦが「１」の状態であってもスリープ状態に移行出来るように構成することができる。
【００６２】
［第３実施形態］
次に、本発明の第３実施形態のアナログ電子時計について説明する。
この第３実施形態のアナログ電子時計１の内部構成は、第３輪列機構２４と第４輪列機構２５との連動に係る表示車５が回転するタイミングを除いて第１実施形態のアナログ電子時計と同一であり、説明を省略すると共に、以下では同一の符号を用いて説明する。
【００６３】
第３実施形態のアナログ電子時計１では、表示時刻が２２時から２時の間でのみ、第３輪列機構２４と連動して回転する第４輪列機構２５により表示車５が回転する構成となっている。
【００６４】
次に、第３実施形態のアナログ電子時計１における時刻表示動作について説明する。
図９は、第３実施形態のアナログ電子時計１おいて制御部６１により実行される時刻表示処理の制御手順を示すフローチャートである。また、図１０は、第３実施形態のアナログ電子時計１においてスリープ状態制御処理から呼び出されるスリープ状態解除処理の制御手順を示すフローチャートである。
【００６５】
この第３実施形態のアナログ電子時計１において実行される時刻表示処理は、第１実施形態のアナログ電子時計１で実行される時刻表示処理におけるステップＳ１０６、Ｓ１０７、Ｓ１１６〜Ｓ１１８に係る処理の内容及び手順と、ステップＳ１０９のスリープ状態処理内で呼び出されるスリープ状態解除処理（ステップＳ１５８）の内容の一部が異なる。他の処理については、第１実施形態のアナログ電子時計１における時刻表示処理の内容と同一であり、同一の符号を付して説明を省略する。
【００６６】
制御部６１は、ステップＳ１０５の処理で第２ステップモータの駆動処理が終了すると、次に、現在時刻が２２時０分０秒であるか否かを判別する（ステップＳ１０６ｂ）。現在時刻が２２時０分０秒であると判別された場合には、制御部６１は、第３駆動回路４４に駆動パルスを出力させて第３ステップモータ３４を逆転方向に３６０ステップ早送り駆動させる（ステップＳ１０７ａ）。これにより、表示される時刻を現在時刻より１２時間遅らせる。従って、表示時刻は、見かけ上現在時刻と同一になり、また、日付の切り替えに係る表示車５の回転動作は、現在時刻が２２時を過ぎても開始されない。そして、制御部６１による処理は、ステップＳ１０８に移行する。
【００６７】
一方、ステップＳ１０６ｂの判別処理で現在時刻が２２時０分０秒ではないと判別された場合には、次に、制御部６１は、現在時刻が０時０分０秒であるか否かを判別する（ステップＳ１１６ａ）。現在時刻が０時０分０秒であると判別された場合には、制御部６１による処理は、ステップＳ１１７に移行し、このステップＳ１１７の判別処理でフラグＦが「１」であると判別された場合には、制御部６１は、第３駆動回路４４に駆動パルスを出力させて第３ステップモータ３４を正転方向に７２０ステップ、即ち、時針４が文字盤上を２周する分早送り駆動させる（ステップＳ１１８ｂ）。これにより、１２時間遅れていた時刻の表示を１２時間進んだ時刻表示に切り替える。従って、このときの表示時刻は、見かけ上現在時刻と同一の状態が維持されると共に、表示車５により表示される日付の切り替えが既に終了している状態となる。それから、制御部６１による処理は、ステップＳ１０９に移行する。
【００６８】
ステップＳ１１６ａの判別処理で現在時刻が０時０分０秒ではないと判別された場合には、制御部６１は、更に、現在時刻が２時０分０秒であるか否かを判別する（ステップＳ１１６ｂ）。現在時刻が２時０分０秒ではないと判別された場合には、制御部６１による処理は、ステップＳ１２６に移行する。現在時刻が２時０分０秒であると判別された場合には、制御部６１は、続いて、フラグＦが「１」であるか否かを判別する（ステップＳ１１７ｂ）。フラグＦが「１」ではないと判別された場合には、制御部６１による処理は、ステップＳ１２７に移行する。フラグＦが「１」であると判別された場合には、制御部６１は、第３駆動回路４４に駆動パルスを出力させて、第３ステップモータ３４を逆転方向に３６０ステップ早送り移動させる（ステップＳ１１８）。これにより、時針４を一周させ、１２時間進んでいた時刻の表示を現在時刻の表示に戻す。そして、制御部６１による処理は、ステップＳ１１９に移行する。
【００６９】
また、ステップＳ１０９のスリープ状態制御処理において、図３に示したように、スリープ状態解除処理（ステップＳ１５８）が呼び出されると、本実施形態のアナログ電子時計１では、先ず、制御部６１は、現在時刻が２２時以降であり、且つ、２４時よりも前であるか否かを判別する（ステップＳ１８１ｂ）。現在時刻が２２時以降であり、且つ、２４時より前であると判別された場合には、制御部６１は、第３駆動回路４４に駆動パルスを出力させて第３ステップモータ３４を逆転方向に３６０ステップ早送り移動させる（ステップＳ１８２ａ）。そして、制御部６１による処理は、ステップＳ１８３に移行する。
【００７０】
現在時刻が２２時以降２４時より前ではない、即ち、２２時よりも前であると判別された場合には、次に、制御部６１は、現在時刻が０時以降であり、且つ、２時よりも前であるか否かを判別する（ステップＳ１８１ｃ）。現在時刻が０時以降であり、且つ、２時よりも前であると判別された場合には、制御部６１は、第３駆動回路４４に駆動パルスを出力させて第３ステップモータ３４を正転方向に３６０ステップ早送り移動させる（ステップＳ１８２）。そして、制御部６１による処理は、ステップＳ１８３に移行する。
【００７１】
ステップＳ１８１ｃにおける判別処理において、現在時刻が０時以降２時より前ではない、即ち、２時以降であると判別された場合には、制御部６１による処理は、ステップＳ１８４に移行する。
【００７２】
以上のように、第３実施形態のアナログ電子時計１は、時針４と、２２時から２時の間にこの時針４の回転と連動して日付表示が１日分回転される表示車５とを有する。そして、このアナログ電子時計１では、２２時に時針４を逆転方向に１２時間分、即ち、１回転早送りした後、通常運針を開始し、０時に時針４を正転方向に２４時間分、即ち、２回転早送りした後、通常運針を開始し、更に、２時に時針４を逆転方向に１２時間分、即ち、１回転早送りした後、通常運針を開始する。このように、時針４と表示車５とが連動して回転する従来のアナログ電子時計の多くで用いられている構造と同一の構造のアナログ電子時計であっても、容易な制御内容で日付及び時刻の表示を適切な位置に保つことが出来る。
【００７３】
また、２２時から２４時過ぎまでスリープ状態が継続された後に２時前にスリープ状態が解除された場合には、このスリープ状態の解除の時点で初めて日付の表示切替動作が行われるので、この一連の動作量を通常の場合の半分とすることで電力消費を抑えることが出来る。
【００７４】
なお、この第３実施形態のアナログ電子時計１においても、第１実施形態のアナログ電子時計１と同様に、フラグＦが「１」の状態でもスリープ状態に移行可能に構成することが出来る。
【００７５】
なお、本発明は、上記実施の形態に限られるものではなく、様々な変更が可能である。
例えば、上記実施の形態では、日付を表示する表示車５を例に挙げて説明したが、同様に一日一回複数ステップの回転動作により表示が変化する他の表示車、例えば、曜日の標識や月齢の標識が設けられた表示車を備えたアナログ電子時計についても本発明を適用することが出来る。
【００７６】
また、上記実施の形態では、表示車５が円盤形状であるものとして説明したが、円弧状の形状であって、月末から翌月１日への変更時には、１日を示す標識位置まで巻き戻す構成であっても良い。その他、この表示車５は、第４輪列機構２５の回転に伴って所定ステップ数で日付表示が１日分徐々に変化していく構成のものであれば、形状を問わない。
【００７７】
また、上記の実施の形態では、表示車５が時針４と連動して回転する期間の先頭及び最後の時刻と一致させて日付表示の切り替え動作を行ったが、第１実施形態のアナログ電子時計１におけるステップＳ１１６や第３実施形態のアナログ電子時計１におけるステップＳ１１６ｂの判別タイミング、即ち、変更終了時刻は、例示した時刻よりも遅い時刻でもよい。ここでいう遅い時刻とは、この遅い時刻の１２時間後の時刻が、この日から翌日への日付表示の変更に係る動作が始まっていない時刻である範囲内を指す。また、第２実施形態のアナログ電子時計１におけるステップＳ１０６ａや第３実施形態のアナログ電子時計１におけるステップＳ１０６ｂの判別タイミング、即ち、変更開始時刻は、例示した時刻よりも早い時刻でも良い。ここでいう早い時刻とは、この早い時刻の１２時間前の時刻が、前日からこの日への日付表示の変更に係る動作が終了している時刻である範囲内を指す。
【００７８】
また、上記実施の形態では、秒針２と分針３が独立に駆動される形態を示したが、連動して駆動される形態であってもよく、また、これらの秒針２及び／又は分針３が時針４と同一の回転軸に対して回転するように配置されていなくても良い。或いは、秒針２が設けられていないアナログ電子時計であっても良いし、これらの指針に加えて他の指針が更に設けられているアナログ電子時計であってもよい。
【００７９】
また、上記実施の形態では、スリープ状態の場合には、日付の切り替えに係る処理を行わせないこととしたが、スリープ状態と関係なく一律に日付表示の切り替えを行っても良いし、ノーマル状態で時刻を１２時間ずらす処理が行われた場合には、その後スリープ状態に移行した場合であっても所定の時間にずれを戻す処理を行わせてしまっても良い。また、スリープ状態の機能や照度センサ６７を備えないアナログ電子時計であっても良い。
【００８０】
また、上記実施の形態では、照度センサの計測データを用いてスリープ状態の設定を行ったが、これに限られない。例えば、計測手段として加速度センサを用いて腕時計や懐中時計の移動状態（利用状態）を判別してもよいし、これら複数のセンサの計測結果を併用することとしてもよい。
その他、上記実施の形態で示した具体的な数値や構成、配置、制御の順序、及び、スリープ状態の具体的な設定方法などの細部は、本発明の趣旨を逸脱しない範囲において適宜変更可能である。
【００８１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８２】
［付記］
＜請求項１＞
１２時間分の時刻の表示に伴い一回転する時針と、この時針の回転が伝達され、前記時針が午前０時を指示するときから午前０時より後の所定の時刻を指示するときまでの間で１日分回転されるカレンダ車と、を有するアナログ電子時計において、
午前０時に設定された変更開始時刻に、現在時刻の１２時間後の時刻を指示する位置に前記時針を正方向に早送りした後、通常運針を開始する第１の制御手段と、
前記所定の時刻以後且つ午後０時以前に設定された変更終了時刻に、現在時刻を指示する位置に前記時針を逆方向に早送りした後、通常運針を開始する第２の制御手段と
を備えることを特徴とするアナログ電子時計。
＜請求項２＞
１２時間分の時刻の表示に伴い一回転する時針と、この時針の回転が伝達され、前記時針が午前０時より前の所定の時刻を指示するときから午前０時を指示するときまでの間で１日分回転されるカレンダ車と、を有するアナログ電子時計において、
午後０時以後且つ前記所定の時刻以前に設定された変更開始時刻に、現在時刻の１２時間前の時刻を指示する位置に前記時針を逆方向に早送りした後、通常運針を開始する第１の制御手段と、
午前０時に設定された変更終了時刻に、現在時刻を指示する位置に前記時針を正方向に早送りした後、通常運針を開始する第２の制御手段と
を備えることを特徴とするアナログ電子時計。
＜請求項３＞
１２時間分の時刻の表示に伴い一回転する時針と、この時針の回転が伝達され、前記時針が午前０時より前の第１の時刻を指示するときから午前０時より後の第２の時刻を指示するときまでの間で１日分回転されるカレンダ車と、を有するアナログ電子時計において、
第２の時刻の１２時間後以後且つ前記第１の時刻以前に設定された変更開始時刻に、現在時刻の１２時間前の時刻を指示する位置まで前記時針を逆方向に早送りした後、通常運針を開始する第１の制御手段と、
午前０時に、現在時刻の１２時間後の時刻を指示する位置に前記時針を正方向に早送りした後、通常運針を開始する第２の制御手段と、
前記第２の時刻以後且つ第１の時刻の１２時間前以前に設定された変更終了時刻に、現在時刻を指示する位置に前記時針を逆方向に早送りした後、通常運針を開始する第３の制御手段と
を備えることを特徴とするアナログ電子時計。
＜請求項４＞
ユーザの操作入力を受け付ける操作手段と、
所定の外部状況を計測する計測手段と、
前記計測手段による計測結果と、前記操作手段への操作入力の検出タイミングとに基づいて、電力消費量を制限するスリープ状態への移行及び解除を行うスリープ状態設定手段と、
を備え、
前記第１の制御手段は、
前記変更開始時刻に前記スリープ状態にある場合には、前記時針を早送りせず、このスリープ状態が前記変更終了時刻より前に解除された場合には、この解除のタイミングで前記時針を早送りし、
前記第２の制御手段は、
前記変更開始時刻から前記変更終了時刻までの間に前記第１の制御手段により前記時針が早送りされなかった場合には、前記時針を早送りしない
ことを特徴とする請求項１又は２記載のアナログ電子時計。
＜請求項５＞
前記スリープ状態設定手段は、前記第１の制御手段により前記時針が早送りされた場合には、前記第２の制御手段により前記時針が早送りされるまでの間、前記スリープ状態に移行させない
ことを特徴とする請求項４記載のアナログ電子時計。
＜請求項６＞
前記第２の制御手段は、
前記第１の制御手段により前記時針が早送りされた後、前記変更終了時刻に前記スリープ状態にある場合には、このスリープ状態が解除されたタイミングで前記時針を早送りする
ことを特徴とする請求項４記載のアナログ電子時計。
＜請求項７＞
ユーザの操作入力を受け付ける操作手段と、
所定の外部状況を計測する計測手段と、
前記計測手段による計測結果と、前記操作手段への操作入力の検出タイミングとに基づいて、電力消費量を制限するスリープ状態への移行及び解除を行うスリープ状態設定手段と、
を備え、
前記第１の制御手段は、
前記変更開始時刻に前記スリープ状態にある場合には、前記時針の早送りを行わず、このスリープ状態が午前０時より前に解除された場合には、この解除のタイミングで前記時針を早送りし、
前記第２の制御手段は、
午前０時に前記スリープ状態にある場合には、前記時針の早送りを行わず、このスリープ状態が前記変更終了時刻より前に解除された場合には、この解除のタイミングで前記時針を早送りし、
前記第３の制御手段は、
前記変更開始時刻から前記変更終了時刻までの間に前記第１の制御手段及び前記第３の制御手段の何れも前記時針を早送りしなかった場合には、前記時針を早送りしない
ことを特徴とする請求項３記載のアナログ電子時計。
＜請求項８＞
前記スリープ状態設定手段は、
前記第１の制御手段及び／又は前記第２の制御手段により前記時針が早送りされた場合には、前記第３の制御手段により前記時針が早送りされるまでの間、前記スリープ状態に移行させない
ことを特徴とする請求項７記載のアナログ電子時計。
＜請求項９＞
前記第３の制御手段は、
前記第１の制御手段及び／又は前記第２の制御手段により前記時針が早送りされた後、前記第２の時刻に前記スリープ状態にある場合には、このスリープ状態が解除されたタイミングで前記時針を早送りする
ことを特徴とする請求項７記載のアナログ電子時計。
＜請求項１０＞
前記計測手段は、照度センサであることを特徴とする請求項４〜９の何れか一項に記載のアナログ電子時計。
【符号の説明】
【００８３】
１     アナログ電子時計
２     秒針
３     分針
４     時針
５     表示車
２２   第１輪列機構
２３   第２輪列機構
２４   第３輪列機構
２５   第４輪列機構
３２   第１ステップモータ
３３   第２ステップモータ
３４   第３ステップモータ
４２   第１駆動回路
４３   第２駆動回路
４４   第３駆動回路
６１   制御部
６２   ＲＡＭ
６３   ＲＯＭ
６４   発振回路
６５   分周回路
６６   スイッチ部
６７   照度センサ
Ｆ     フラグ
【図１】
2013190332.tif 000003
【図２】
2013190332.tif 000004
【図３】
2013190332.tif 000005
【図４】
2013190332.tif 000006
【図５】
2013190332.tif 000007
【図６】
2013190332.tif 000008
【図７】
2013190332.tif 000009
【図８】
2013190332.tif 000010
【図９】
2013190332.tif 000011
【図１０】
2013190332.tif 000012